(57)【要約】      （修正有）【課題】ワンタッチ操作により傘を開いたり、閉じたりする際に、外部に露出する傘開き用スプリングに手が挟まれる恐れがなく、また、傘の審美性の観点からも好ましいジャンプ傘構造を提供し、さらには長年の使用によってもジャンプ傘開閉時の動作を正常に行えるジャンプ傘構造を提供する。【解決手段】下ろくろ３の軸方向に貫通する貫通孔５が設けられ、該貫通孔５の径は、下ろくろ３の先端から軸方向略中間位置までと略中間位置から基端までとで異ならせてなり、略中間位置から基端までの貫通孔５の径は、中ろくろ２に形成された膨出筒部１２が嵌入出来る径とされ、前記先端から略中間位置までの貫通孔５の経は、中棒４と中棒４に被嵌された傘開き用スプリング６が嵌入出来る径とされ、膨出筒部１２には、傘開き用スプリング１２の先端部が嵌め込まれる嵌め込み溝１３が形成されてなる。【選択図】図１
0003213487.tif 000002
【実用新案登録請求の範囲】
【請求項１】
ろくろの軸方向に貫通する貫通孔が設けられ、該貫通孔の経は、前記ろくろの先端から軸方向略中間位置までと略中間位置から基端までとで異ならせてなり、略中間位置から基端までの貫通孔の経は、別のろくろに形成された膨出筒部が嵌入出来る径とされ、前記先端から略中間位置までの貫通孔の経は、中棒と中棒に被嵌された傘開き用スプリングが嵌入出来る径とされ、
前記膨出筒部には、前記傘開き用スプリングの先端部が嵌め込まれる嵌め込み溝が形成されてなる、
ことを特徴とするジャンプ傘構造。
【請求項２】
前記ろくろの外周面には滑り防止用の粗面として構成された、
ことを特徴とする請求項１記載のジャンプ傘構造。
【請求項３】
前記ろくろは下ろくろであり、別のろくろは中ろくろあるいは上ろくろである、
ことを特徴とする請求項１または請求項２記載のジャンプ傘構造。
【考案の詳細な説明】
【技術分野】
【０００１】
本考案は、いわゆるワンタッチで開くジャンプ傘の構造に関するものである。
【背景技術】
【０００２】
従来、いわゆるワンタッチで開く構造のジャンプ傘は、その多くが中棒に取り付けられた中巣と下巣の間に傘開き用スプリングが設置され、該傘開き用のスプリングの伸縮によりワンタッチ操作で傘が開いたり、閉じたりするよう構成されている。
そして、従来、前記傘開き用スプリングは前記中巣と下巣との間に露出して外から目視できるよう取り付けられている。
【０００３】
上記の状態で傘を閉じるときは、下巣を下側、すなわち、傘の持ち手側へ引っ張り、前記傘開き用スプリングを圧縮して傘を閉じていた。 そして、傘を開く時には、前記傘開き用スプリングを自らの弾発力により伸長させ、この伸長動作により中巣と下巣との間の距離を広げ、もって親骨が開いて傘が開かれるものとなっていた。
【０００４】
しかしながら、前記傘開き用スプリングは前記したように外部に露出して取り付けられているため、傘を開いたり、閉じたりする際に、髪の毛や手の指が挟まれる恐れがあった。
また、前記傘開き用スプリングが外部に露出して目視できるのは傘の審美性の観点からも好ましくない。
【０００５】
そこで、登録実用新案第３２０６４１８号の考案のように、下ろくろ内に前記傘開き用スプリングを収納できるジャンプ傘が提案されるに至った。
【０００６】
しかしながら、この登録実用新案第３２０６４１８号のジャンプ傘は、ジャンプ傘製造のための部品点数がきわめて多く、もってその組み立てに手間がかかり、かつ製造コストも増加してしまっていた。さらに、前記傘開き用スプリングを下ろくろ内に伸縮可能に収納してあるが、その傘開き用スプリング端部と該端部が係止する係止部とは単に両者を当接させてあるだけであり、その結果、ジャンプ傘の開閉時に前記傘開き用スプリングが中棒の経方向、すなわち中棒軸方向の直角方向となる左右方向に動いてしまうことがあり、ひいてはジャンプ傘開閉時の動作を正常に行うことが困難となるとの課題が生じていた。
【先行技術文献】
【特許文献】
【０００７】
【特許文献１】登録実用新案第３２０６４１８号公報
【考案の概要】
【考案が解決しようとする課題】
【０００８】
かくして本考案は前記従来の課題を解決するために創案されたものであって、ワンタッチ操作により傘を開いたり、閉じたりする際に、外部に露出する傘開き用スプリングに手が挟まれる恐れがなく、また、傘の審美性の観点からも好ましいジャンプ傘構造を提供し、さらには長年の使用によってもジャンプ傘開閉時の動作を正常に行えるジャンプ傘構造を提供することを目的とするものである。
【課題を解決するための手段】
【０００９】
本考案は、
ろくろの軸方向に貫通する貫通孔が設けられ、該貫通孔の経は、前記ろくろの先端から軸方向略中間位置までと略中間位置から基端までとで異ならせてなり、略中間位置から基端までの貫通孔の経は、別のろくろに形成された膨出筒部が嵌入出来る径とされ、前記先端から略中間位置までの貫通孔の経は、中棒と中棒に被嵌された傘開き用スプリングが嵌入出来る径とされ、
前記膨出筒部には、前記傘開き用スプリングの先端部が嵌め込まれる嵌め込み溝が形成されてなる、
ことを特徴とし、
または、
前記ろくろの外周面には滑り防止用の粗面として構成された、
ことを特徴とし、
または、
前記ろくろは下ろくろであり、別のろくろは中ろくろあるいは上ろくろである、
ことを特徴とするものである。
【考案の効果】
【００１０】
本考案によれば、ワンタッチ操作により傘を開いたり、閉じたりする際に、外部に露出する傘開き用スプリングに手が挟まれる恐れがなく、また、傘の審美性の観点からも好ましいジャンプ傘構造を提供し、さらには長年の使用によってもジャンプ傘開閉時の動作を正常に行えるジャンプ傘構造を提供できるとの優れた効果を奏する。
【図面の簡単な説明】
【００１１】
【図１】本考案の構成を説明する構成説明図である。
【図２】本考案のろくろの外形を説明する説明図である。
【図３】本考案の傘の概略構成を説明する概略説明図である。
【考案を実施するための形態】
【００１２】
以下、本考案の最良の実施形態につき、図に基づいて説明する。
【００１３】
本考案のジャンプ傘は、上巣１８が設けられた上ろくろ１、中巣７が設けられた中ろくろ２、そして下巣８が設けられた下ろくろ３を有して構成される。そして、前記上巣１８には親骨１９が取り付けられ、中巣７、下巣８には受骨２０が取り付けられている。
【００１４】
ここで、下ろくろ３は、その軸方向に向かい貫通する貫通孔５を有している。そして、この貫通孔５には、中ろくろ２および中ろくろ２の孔９を貫挿する中棒４及び中棒４の外周に被嵌する傘開き用スプリング６が貫挿するよう構成される。
【００１５】
図から理解されるように、下ろくろ３の外形や下ろくろ３の貫通孔５の径の大きさは途中で変化する様構成されている。
【００１６】
すなわち、下ろくろ３の軸方向に向かい、その先端から略中間位置までの下ろくろ３の外形や内部の貫通孔５の経１０は中棒４及び中棒４の外周に被嵌する傘開き用スプリング６が収納できる径１０とされ、またその経１０を有する下ろくろ３の外形となっている。
【００１７】
しかし、略中間位置から下巣８が設けられた基端までの経１１は中ろくろ２が軸方向へ摺動できる大きさの経１１に、またその下ろくろ３の外形も太い外形に形成されている。
【００１８】
なぜなら、前記貫通孔５には中ろくろ２が収納されるが、この中ろくろ２の先端部にはリング状に外側に張り出して形成された膨出筒部１２が形成されており、この膨出筒部１２の外経が収納できる経１１として形成しておかなければならないからである。
【００１９】
尚、図から理解されるように前記膨出筒部１２の内部には傘開き用スプリング６の後端部を嵌め込む嵌め込み溝１３が設けられている。この嵌め込み溝１３はリング状の溝として構成されており、該嵌め込み溝１３の外壁１４内面側には前記傘開き用スプリング６の外側部が、そして、嵌め込み溝１３の内壁１５の外面側には傘開き用スプリング６の内側部が当接するようになっている。
【００２０】
よって、傘開き用スプリング６はその先端部が前記嵌め込み溝１３内に嵌り込んで固定され、後述する傘開き用スプリング６の伸縮動作時、すなわち、傘開き用スプリング６の伸縮動作によって傘を閉じたり、開いたりする際に、前記傘開き用スプリング６の先端部を固定してあるため、中棒４の軸方向直角する方向、すなわち左右方向へぐらついたり、がたついたりすることがなく、スムーズに傘開き、傘閉じが実現できるものとなる。
【００２１】
図２は下ろくろ３の外周面を示したものである。図から理解されるように、下ろくろ３の外周面は、傘の使用者が握時して傘開き、傘閉じの操作を行う箇所であり、もって握持して操作しやすいように滑り止め粗面１６として構成してある。これにより、従来に比較し一段と傘開き、傘閉じ操作が容易に行えるものとなった。
【００２２】
尚、符号１７は、傘開き用スプリング６のストッパー部であり、該ストッパー部１７を押圧することにより、傘開き用スプリング６の縮み動作を解除し、伸張させて傘が自動的に開くようになっている。
【００２３】
次に本考案の動作につき説明する。
図１から理解されるように、下ろくろ３の貫通孔５内に中棒４を貫挿させてある。尚、前記中棒４の外周には傘開き用スプリング６が被嵌してあり、前記貫通孔５内には傘開き用スプリング６が被嵌された中棒４が嵌挿してある。
【００２４】
傘開き用スプリング６の先端側には中棒４を貫挿させた中ろくろ２が配置してあり、中ろくろ２はその先端部に膨出筒部１２が対向して配置されている。そして、前記膨出筒部１２の略リング状をなす嵌め込み溝１３内に傘開き用スプリング６の先端部が嵌め込まれて固定されている。
【００２５】
下ろくろ３の貫通孔５内には傘開き用スプリング６と中ろくろ２が軸方向に押し込まれて収納される。すなわち、所定の位置まで押し込むと、傘開き用スプリング６が圧縮されてロックされ、貫通孔５内に傘開き用スプリング６と中ろくろ２が収納された状態で留まる。この状態が傘を閉じた状態となる。そして、その状態からロック解除ボタン１７を押すと、傘開き用スプリング６のロックが解除され、もって傘開き用スプリング６が伸張し、これにより傘は開かれる。
【符号の説明】
【００２６】
１      上ろくろ
２      中ろくろ
３      下ろくろ
４      中棒
５      貫通孔
６      傘開き用スプリング
７      中巣
８      下巣
９      中ろくろの孔
１０    経
１１    経
１２    膨出筒部
１３    嵌め込み溝
１４    外壁
１５    内壁
１６    滑り止め粗面
１７    ロック解除ボタン
１８    上巣
１９    親骨
２０    受骨
【図１】
0003213487.tif 000003
【図２】
0003213487.tif 000004
【図３】
0003213487.tif 000005